(57)【要約】【課題】  ホテル、旅館を癒し空間と眠り空間として活用する構造は、一般に行われているが、単純に、静寂感とか、外との遮断を図り、もって、落着いた環境の中で、時間を潰す。よって、有効であるが、必ずしも、全ての人が、満足する結果が得られないと考えられる。【解決手段】  本発明は、ホテル、旅館、自宅の建屋内の部屋に、フィルタ・空調機を付設した配管付きのベットルームを区画し、ベットルームに密閉形式のベッドを設け、ベッドルームにフィトンチッド、マイナスイオン、又はホルミシス効果が発揮できる素材を設ける構成した癒し空間と眠り空間を確保できるホテル、旅館、又は自宅の建屋の構造であり、癒し空間と眠り空間で、最高の眠りを確保する。【選択図】      図３
2014058800.tif 000002
【特許請求の範囲】
【請求項１】
ホテル、旅館、又は自宅の建屋内に一つ、又は複数の部屋を形成し、この部屋にベットルームを区画し、このベットルームに密閉形式のベッドを設け、このベッドルームの室内、又はこのベッドの密閉空間を連繋する配管を設け、この配管には、必要により、フィルタ、不織布、膜素材、薬液でなる清浄装置、温湿度調整装置を設け、また、フィトンチッド、マイナスイオン、又はホルミシス効果が発揮できる素材を、前記部屋、及び／又は、前記ベッドルームの少なくとも壁に設ける構成した癒し空間と眠り空間を確保できるホテル、旅館、又は自宅の建屋の構造。
【請求項２】
請求項１に記載のホテル、旅館、又は自宅の建屋の構造において、
前記フィトンチッド、マイナスイオン、又はホルミシス効果が発揮できる素材は、籾殻と粘土を焼結した焼結筒体か、又は檜、桜、ブナの木材とする構成としたホテル、旅館、又は自宅の建屋の構造。
【請求項３】
請求項１、又は請求項２に記載のホテル、旅館、又は自宅の建屋の構造において、
前記フィトンチッド、マイナスイオン、又はホルミシス効果が発揮できる素材を、少なくとも、前記壁に設ける構成としたホテル、旅館、又は自宅の建屋の構造。
【請求項４】
請求項１に記載のホテル、旅館、又は自宅の建屋の構造において、
前記ベッドルーム、及び／又は、前記ベッドには、照明装置を無くし、このベッドルーム、及び／又は、このベッドの癒し空間と眠り空間を、暗室にする構成としたホテル、旅館、又は自宅の建屋の構造。
【請求項５】
請求項１に記載のホテル、旅館、又は自宅の建屋の構造において、
前記ベッドを、ウォーターベッド、コイルベッド、シリコン、又は低反発ベッド、或いは木綿ベッド、羽毛ベッドとする構成としたホテル、旅館、又は自宅の建屋の構造。
【請求項６】
請求項１に記載のホテル、旅館、又は自宅の建屋の構造において、
前記ベッドに、冷暖房装置、又は水晶カラー照射装置、或いは光と音によるモーニングコール装置を付設する構成としたホテル、旅館、又は自宅の建屋の構造。
【請求項７】
請求項１に記載のホテル、旅館、又は自宅の建屋の構造において、
前記ベッドルーム、及び／又は、前記ベッドは、暗室構造、及び／又は、防音構造とする構成としたホテル、旅館、又は自宅の建屋の構造。
【請求項８】
請求項１に記載のホテル、旅館、又は自宅の建屋の構造において、
前記建屋の入口に、クリーンルームを付設する構成としたホテル、旅館、又は自宅の建屋の構造。
【請求項９】
ホテル、旅館、又は自宅の建屋にセットできる密閉形式のベッドルームであって、
このベッドルームには、密閉形式のベッドを設けるとともに、このベッドルームの室内、又はこのベッドの密閉空間を連繋する配管を設け、この配管には、必要により、フィルタ、不織布、膜素材、薬液でなる清浄装置、温湿度調整装置を設け、また、フィトンチッド、マイナスイオン、又はホルミシス効果が発揮できる素材を、前記ベッドルームの少なくとも壁に設ける構成した癒し空間と眠り空間を確保できるホテル、旅館、又は自宅の建屋にセットできるベッドルームの構造。
【発明の詳細な説明】
【技術分野】
【０００１】
本発明は、ホテル、旅館、又は自宅、その他の部屋、或いは公共施設、車輌等でなる建屋（本発明では、「ホテル、旅館、又は自宅の建屋」とする）の構造と、この建屋にセットできるベッドルームの構造に関し、詳しくは、この建屋の部屋、又はベッドルームを、癒し空間と眠り空間として活用する構造である。
【背景技術】
【０００２】
ホテル、旅館を癒し空間と眠り空間として活用する構造は、一般に行われているが、単純に、静寂感とか、外との遮断を図り、もって、落着いた環境の中で、時間を潰すことを主体としている。従って、有効であるが、必ずしも、全ての人が、満足する結果が得られないと考えられる。
【０００３】
このような状況に鑑み、本発明は、総合的に、かつ有効である各種の装置とか、機構、又は役立つ情報を駆使し、目的とする、癒し空間と眠り空間を確保でき、かつ略万人が効果を満喫できるホテル、旅館、又は自宅の建屋の構造を提供する。
【０００４】
そして、このホテル、旅館、又は自宅の建屋の構造を提供するに際し、改めて、先行文献を開示し、本発明との相違点を検討する。
【０００５】
最初に、睡眠環境を実現するための睡眠環境制御システムを提供する文献として、特開２００８−１３１１２６号公報の発明がある（文献（１）とする）。この発明は、テレビ、照明、エアコンを利用する。しかしながら、このような、組合せでは、人間が本来希望する、静寂感とか、外との遮断を図り、もって、落着いた環境の中で、時間を潰すこととは異なり、満足とする結果が得られるかが、疑問視されると考えられる。
【０００６】
また、就寝を満喫し、かつ和らいだ雰囲気中において、睡眠することを意図した文献として、特開２００８−７３４１４号公報の発明がある（文献（２）とする）。この発明は、頭側と脚側の空調を、適宜、制御することと、透孔性・遮蔽性カーテンで、ベッドを囲繞する構造である。しかし、文献（１）と、同じような問題を抱えていると考えられる。
【０００７】
さらに、睡眠環境の提供と、この睡眠環境を提供できる装置を、低廉で、かつ簡易に設備でき、しかもランニングコストが掛からない構造を提案する文献として、特開２００９−１４２２２号公報の発明がある（文献（３）とする）。この発明は、部屋そのものをベッドルームとする構造であり、逆に、ランニングコストが掛かる虞があることと、文献（１）と、同じような問題を抱えていると考えられる。
【０００８】
【特許文献１】特開２００８−１３１１２６号公報
【特許文献２】特開２００８−７３４１４号公報
【特許文献３】特開２００９−１４２２２号公報
【発明の概要】
【発明が解決しようとする課題】
【０００９】
本発明は、ホテル、旅館、必要により自宅等の建屋と、その建屋の一室を、癒し空間と眠り空間として活用する構造を提供することで、経済的に優れるとともに、目的とする効果、即ち、癒し空間と眠り空間とし、確実に成果を達成することを意図する。
【００１０】
殊に、万人の要望に応え得る、全ての装置と要望を満喫できる構造を提供する。そして、各要望に応じた装置を、ユニット方式に取付け（組付け）可能とすることで、利便性と、ホテル、旅館においては、全国チェーン方式で、展開可能な構造の提供を意図する。
【課題を解決するための手段】
【００１１】
前述の目的を達成するために、次に示す、請求項１〜請求項９を提案する。
【００１２】
請求項１の発明は、ホテル、旅館、又は自宅の建屋内に一つ、又は複数の部屋を形成し、この部屋にベットルームを区画し、このベットルームに密閉形式のベッドを設け、このベッドルームの室内、又はこのベッドの密閉空間を連繋する配管を設け、この配管には、必要により、フィルタ、不織布、膜素材、薬液でなる清浄装置、温湿度調整装置を設け、該ベッドルーム、又は該ベッド内の働きを終えた空気（排気）を、前記配管の前記フィルタ、前記温湿度調整装置を介して、清澄化するか、温湿度調整し、例えば、該ベッドルーム内の温度を、２３°〜２５°程度、又は該ベッド内の温度を、３２°〜３７°程度（胎内温度「母体の温度」）とし、本発明の目的を達成し、また、フィトンチッド、マイナスイオン、又はホルミシス効果が発揮できる素材を、前記部屋、及び／又は、前記ベッドルームの少なくとも壁に設ける構成した癒し空間と眠り空間を確保できるホテル、旅館、又は自宅の建屋の構造である。
【００１３】
請求項２の発明は、請求項１に記載のホテル、旅館、又は自宅の建屋の構造において、
前記フィトンチッド、マイナスイオン、又はホルミシス効果が発揮できる素材は、籾殻と粘土を焼結した焼結筒体か、又は檜、桜、ブナの木材とする構成としたホテル、旅館、又は自宅の建屋の構造である。
【００１４】
請求項３の発明は、請求項１、又は請求項２に記載のホテル、旅館、又は自宅の建屋の構造において、
前記フィトンチッド、マイナスイオン、又はホルミシス効果が発揮できる素材を、少なくとも、前記壁に設ける構成としたホテル、旅館、又は自宅の建屋の構造である。
【００１５】
請求項４の発明は、請求項１に記載のホテル、旅館、又は自宅の建屋の構造において、
前記ベッドルーム、及び／又は、前記ベッドには、照明装置を無くし、このベッドルーム、及び／又は、このベッドの癒し空間と眠り空間を、暗室にする構成としたホテル、旅館、又は自宅の建屋の構造である。
【００１６】
請求項５の発明は、請求項１に記載のホテル、旅館、又は自宅の建屋の構造において、
前記ベッドを、ウォーターベッド、コイルベッド、シリコン、又は低反発ベッド、或いは木綿ベッド、羽毛ベッドとする構成としたホテル、旅館、又は自宅の建屋の構造である。
【００１７】
請求項６の発明は、請求項１に記載のホテル、旅館、又は自宅の建屋の構造において、
前記ベッドに、冷暖房装置、又は水晶カラー照射装置、或いは光と音によるモーニングコール装置を付設する構成としたホテル、旅館、又は自宅の建屋の構造である。
【００１８】
請求項７の発明は、請求項１に記載のホテル、旅館、又は自宅の建屋の構造において、
前記ベッドルーム、及び／又は、前記ベッドは、暗室構造、及び／又は、防音構造とする構成としたホテル、旅館、又は自宅の建屋の構造である。
【００１９】
請求項８の発明は、請求項１に記載のホテル、旅館、又は自宅の建屋の構造において、
前記建屋の入口に、クリーンルームを付設する構成としたホテル、旅館、又は自宅の建屋の構造である。
【００２０】
請求項９の発明は、ホテル、旅館、又は自宅の建屋にセットできる密閉形式のベッドルームであって、
このベッドルームには、密閉形式のベッドを設けるとともに、このベッドルームの室内、又はこのベッドの密閉空間を連繋する配管を設け、この配管には、必要により、フィルタ、不織布、膜素材、薬液でなる清浄装置、温湿度調整装置を設け、また、フィトンチッド、マイナスイオン、又はホルミシス効果が発揮できる素材を、前記ベッドルームの少なくとも壁に設ける構成した癒し空間と眠り空間を確保できるホテル、旅館、又は自宅の建屋にセットできるベッドルームの構造である。
【発明の効果】
【００２１】
請求項１は、ホテル、旅館、又は自宅の建屋内に一つ、又は複数の部屋を形成し、部屋にベットルームを区画し、ベットルームに密閉形式のベッドを設け、ベッドルームの室内、又はベッドの密閉空間を連繋する配管を設け、配管には、必要により、フィルタ、不織布、膜素材、薬液でなる清浄装置、温湿度調整装置を設け、また、フィトンチッド、マイナスイオン、又はホルミシス効果が発揮できる素材を、部屋、及び／又は、ベッドルームの少なくとも壁に設ける構成した癒し空間と眠り空間を確保できるホテル、旅館、又は自宅の建屋の構造である。
【００２２】
これにより、本発明の請求項１では、ホテル、旅館、必要により自宅等の建屋と、その建屋の一室を、癒し空間と眠り空間として活用する構造を提供できることと、この発明では、経済的に優れるとともに、目的とする効果、即ち、癒し空間と眠り空間とし、確実に成果を達成できること、等の特徴がある。殊に、万人の要望に応え得る、全ての装置と要望を満喫できる構造を提供できる。そして、この請求項１では、各要望に応じた装置を、ユニット方式に取付け（組付け）可能とすることで、利便性と、ホテル、旅館においては、全国チェーン方式で、展開可能な構造の提供が可能となる特徴がある。
【００２３】
請求項２は、請求項１に記載のホテル、旅館、又は自宅の建屋の構造において、
フィトンチッド、マイナスイオン、又はホルミシス効果が発揮できる素材は、籾殻と粘土を焼結した焼結筒体か、又は檜、桜、ブナの木材とする構成としたホテル、旅館、又は自宅の建屋の構造である。
【００２４】
これにより、本発明の請求項２では、請求項１を達成できる素材を提供できる特徴がある。
【００２５】
請求項３は、請求項１、又は請求項２に記載のホテル、旅館、又は自宅の建屋の構造において、
フィトンチッド、マイナスイオン、又はホルミシス効果が発揮できる素材を、少なくとも、壁に設ける構成としたホテル、旅館、又は自宅の建屋の構造である。
【００２６】
これにより、本発明の請求項３では、請求項１を達成できる素材の取付け箇所を、特定できる特徴がある。
【００２７】
請求項４は、請求項１に記載のホテル、旅館、又は自宅の建屋の構造において、
ベッドルーム、及び／又は、ベッドには、照明装置を無くし、ベッドルーム、及び／又は、ベッドの癒し空間と眠り空間を、暗室にする構成としたホテル、旅館、又は自宅の建屋の構造である。
【００２８】
これにより、本発明の請求項４では、請求項１を達成できるベッドの照明方法を提供できる特徴がある。
【００２９】
請求項５は、請求項１に記載のホテル、旅館、又は自宅の建屋の構造において、
前記ベッドを、ウォーターベッド、コイルベッド、シリコン、又は低反発ベッド、或いは木綿ベッド、羽毛ベッドとする構成としたホテル、旅館、又は自宅の建屋の構造である。
【００３０】
これにより、本発明の請求項５では、請求項１を達成できるベッドの構造を提供できる特徴がある。
【００３１】
請求項６は、請求項１に記載のホテル、旅館、又は自宅の建屋の構造において、
ベッドに、冷暖房装置、又は水晶カラー照射装置、或いは光と音によるモーニングコール装置を付設する構成としたホテル、旅館、又は自宅の建屋の構造である。
【００３２】
これにより、本発明の請求項６では、請求項１を達成できるベッドの別の構造を提供できる特徴がある。
【００３３】
請求項７は、請求項１に記載のホテル、旅館、又は自宅の建屋の構造において、
ベッドルーム、及び／又は、ベッドは、暗室構造、及び／又は、防音構造とする構成としたホテル、旅館、又は自宅の建屋の構造である。
【００３４】
これにより、本発明の請求項７では、請求項１を達成できる暗室構造、及び／又は、防音構造（宇宙空間の雰囲気「仮に眼を覚ましても、再び眠りに付く雰囲気」）を提供できる特徴がある。
【００３５】
請求項８は、請求項１に記載のホテル、旅館、又は自宅の建屋の構造において、
建屋の入口に、クリーンルームを付設する構成としたホテル、旅館、又は自宅の建屋の構造である。
【００３６】
これにより、本発明の請求項８では、請求項１を達成できる建屋の構造を提供できる特徴がある。
【００３７】
請求項９の発明は、ホテル、旅館、又は自宅の建屋にセットできる密閉形式のベッドルームであって、
ベッドルームには、密閉形式のベッドを設けるとともに、ベッドルームの室内、又はベッドの密閉空間を連繋する配管を設け、配管には、必要により、フィルタ、不織布、膜素材、薬液でなる清浄装置、温湿度調整装置を設け、また、フィトンチッド、マイナスイオン、又はホルミシス効果が発揮できる素材を、ベッドルームの少なくとも壁に設ける構成した癒し空間と眠り空間を確保できるホテル、旅館、又は自宅の建屋にセットできるベッドルームの構造である。
【００３８】
これにより、本発明の請求項９では、建屋に設けたベッドルームを、癒し空間と眠り空間として活用する構造を提供できることと、この発明では、経済的に優れるとともに、目的とする効果、即ち、癒し空間と眠り空間とし、確実に成果を達成できること、等の特徴がある。殊に、万人の要望に応え得る、全ての装置と要望を満喫できる構造を提供できる。そして、この請求項９では、各要望に応じた装置を、ユニット方式に取付け（組付け）可能とすることで、利便性と、ホテル、旅館においては、全国チェーン方式としてのベッドルームを提供でき、かつ重宝すること等の特徴がある。
【図面の簡単な説明】
【００３９】
【図１】ホテルの一例を示した縮尺俯瞰図
【図２】ホテルの部屋（一例であって、部屋とする）の一例を示した俯瞰平面図
【図３】ベッドルームの俯瞰斜視図であり、ベッドの覆いを解放した状態であり、かつ焼結筒体を付設し、その一部を欠截した一例である。図中に焼結筒体の拡大斜視図を示す。この例は、治療空間としての活用の一例を示す
【図４】ベッドルームの別の俯瞰斜視図であり、ベッドの覆いを解放した状態であり、かつ木材を付設し、その一部を欠截した一例である。図中に木材の拡大斜視図を示す
【図５】図３の別のベッドルームの側面図であり、ベッドルームに、音声手段、照明器具、ＩＴ機器をセットした一例を示す
【図６】部屋に太陽光エネルギーを誘引し、ベッドに横臥する人に、太陽光エネルギーによるカラー療法（治療）の治療空間としての活用の一例を示た模式図。図中に制御盤の拡大斜視図を示す
【図７】ベッドの拡大斜視図。ベッドの密閉空間と暗室を確保する構造を拡大して示す
【図８】ウォーターベッドの一例を示した拡大断面図
【発明を実施するための形態】
【００４０】
図１はホテルＡの縮尺俯瞰図を示しており、リゾートホテルの雰囲気を醸し出しているが一例である。このホテルＡの部屋１（一室）は、図２に示す構造であるが、一例で有る。この一例を説明すると、２は玄関であり、入口２００と扉２０１、並びにクローゼット２０２を有する。この玄関に隣接するようにクリーンルーム３が設けられており、このクリーンルーム３の床面は、簀子３００とし、ごみを、図示しない、ファン、ポンプ等を利用し、瞬時に集塵可能とする。そして、この部屋１には、クリーンルーム３に隣接し、かつ本発明のメインである、密閉形式のベッドルーム５が区画形成されている。このベッドルーム５の周辺部（壁５ａ、床５ｂ、天井５ｃ）は、フィトンチッド、マイナスイオン、又はホルミシス効果が発揮できる素材６が設けられ、図２〜図６の如く、ベッドルーム５の全体が、この素材６で構成する。勿論、図示しない、他の材料の場合もあり得る。この素材６は、図２〜図３等の例では、籾殻と粘土を焼結した多数の透孔を有する、広い表面積を確保する六角筒体でなる焼結筒体６００であり、珪藻土と炭化珪素とを混合した黒色の壁土をベースとして、この壁土が軟弱の際に、焼結筒体６００を順次組付け一体化し、壁無床、天井等を構築する構造あり、また、図４の例では、檜、桜、ブナの木材６０１でなり、透孔、及び／又は、凹凸表面積を形成する。この透孔と、表面積による、空気との接触面積の拡充と清浄化を図り、速やかに、空気の清浄化と、後述するように、防音、及び／又は、騒音吸収等を図ることを意図する。そして、この木材６０１の例では、嵌合せによる組付けであり、確実かつ簡易に壁、床等を構築する。このベッドルーム５の入口５００には、内側（ベッド側）に素材６を付設した扉５０１を、開閉自在に設ける。また、このベッドルーム５には、ベッド７が設置されており、このベッド７は、開閉式のドーム形の扉７００を有しており、この例では、ベッド７の長手方向の側面側で、兆番等を利用して開閉する。そして、閉塞時は、ベッド７は、暗室で、かつ完全防音の構造である。そのために、図７に拡大して示した如く、ベッド枠と扉７００は嵌合い関係である。この暗室で、かつ完全防音の構造のベッド７では、例えば、図５に示した如く、最高の癒し、眠りと、疲労回復並びに治療の治癒が確保できる、所謂、癒し空間と眠り空間Ｂを確保する。また、ベッド７の内部には、暗室で役立つ、例えば、目覚まし機能（モーニングコール装置）、必要時に点灯する照明機能、又は映像機能、音声機能、緊急情報機能、通信機能等を内蔵するＩＴ機器７０１を設ける。このＩＴ機器７０１は、手動、又は、自動の角度調整等の調整機構とスイッチ等を内蔵する。ベッド７は、エアーカーテン等の、他の手段で密閉形式を造ることもある。しかし、場合により、前述の密閉形式に代え、解放形式とし、ベッドルーム５の密閉形式（密閉構造）を利用することも可能である。
【００４１】
そして、ベッド７の床部７０２には、それぞれ、好みの機能がある。例えば、図８は、ベッド７が、ウォーターベッド７ａの一例であり、ウォーターベッド７ａは、本来、ウオーターベッド（図示せず）の有する全ての特徴を有することと、さらに、前述した、最高の癒し、眠りと、疲労回復並びに治療の治癒を確保できる場所の提供が可能となる。この一例では、疾病の治療（例えば、各種の癌、難病等の治療）に効果があることは、経験則から、理解できる。尚、図示しないが、その他として、例えば、ベッド７が、コイルベッド（スプリングベッドと同じ）の一例では、コイルベッドの特徴は、前記ウォーターベッド７ａに準ずるが、硬めによるタッチと、効果が短時間で達成できる可能性がある。次に、ベッド７が、ペルチェ素子ベッド（ペルチェ素子を付設し、）の一例では、このペルチェ素子ベッドの特徴は、前記ウォーターベッド７ａに準ずるが、この例では、冷暖房の自己調整と、省エネルギーを図れる。例えば、温度調整では、他の例と同様に、胎内温度、３２℃〜３７℃の雰囲気中で静養、睡眠できる。体の全ての治癒と、細胞・ホルモン等の活性化、抗菌力の醸成、又は神経の治癒と活性化等に寄与できる（他の例も同じ）。また、ベッド７が、バイブレーションベッドの一例では、バイブレーションベッドの特徴は、前記ウォーターベッド７ａに準ずるが、この例では、振動による刺激と、自己の好みを最大限に発揮し、前述の効果が図れる。ベッド７が、岩盤床ベッドの一例では、岩盤床ベッドは、本来、岩盤浴の有する全ての特徴に併せて、前述した、最高の癒し、眠りと、疲労回復並びに治療の治癒を確保できる場所の提供が可能となる。また、健康回復と、病気の治癒に有効である。さらに、ベッド７が、指圧ベッドの一例では、指圧ベッドは、指圧が、本来有する全ての特徴に併せて、前述した、前述の岩盤床ベッドに準ずる。また、ベッド７は、図示しないが、シリコンベット、又は低反発ベッド、或いは木綿ベッド、羽毛ベッドの構造もある。
【００４２】
尚、前述した素材６を詳細に説明する。先ず、図２〜図３等の例は、籾殻と粘土を焼結した多数の透孔を有する、広い表面積を確保することを意図して、六角筒体とし、筒方向（Ｘ方向）に長い形状した焼結筒体６００と、空気が、開口６００ａから透孔６００ｂに抜けるか、又はその逆コースにより、長く、焼結筒体６００の周面等の面６００−１、及び／又は、透孔の内面等の面に接触し、そのホルミシス効果と清浄化等を図る。また、図４の例では、檜、桜、ブナの木材６０１でなり、透孔、及び／又は、凹凸表面積を形成する。空気が、凹凸で拡充（広い）表面積６０１ａに接すること、並びに透孔６０１ｂに抜けることにより、長く、木材６０１の周面等の面６０１−１、及び／又は、透孔の内面等の面に接触し、そのフィトンチッド、リラックス効果と清浄化等を図る。
【００４３】
そして、符号１０は、ベッドルーム５に設けた照明（照明器具）、符号１１は枕を示す。シーツ等の付属品は、省略する。このベッドルーム５と、ベッド７には、照明１０の点灯は、扉７００の開放時と、人Ｈの目覚めを誘引する際にのみ点灯することで、ベッド７は、常時、暗室（暗室構造、又は暗室空間）、及び／又は、防音（防音構造、又は防音空間）として活用する（即ち、宇宙空間の雰囲気であり、例えば、眼を覚ましても、暗室で、かつ音がないことから、再び眠りに着く雰囲気を確保する）こともできる。また、この枕１１は、各図と、図８に示した一例の如く、頚椎から背骨と、全身の骨を、正常な状態Ｈ１を確保できることと、全身の疲労回復と、癒し空間と眠り空間Ｂとの併用で、最高の眠りを確保できる。尚、このベットルーム５、及び／又は、ベッド７には、人Ｈが裸で入室することが望ましいが、一例である。
【００４４】
また、ベッドルーム５、及び／又は、ベッド７には、例えば、図４に示すように、ベッドルーム５の室内、又はベッド７（図示せず）の密閉空間を連繋する配管１２を設ける。一例として、このベッドルーム５に配管１２を設ける構造を説明する。この配管１２には、フィルタ、不織布、膜素材、薬液でなる清浄装置１３、温湿度調整装置１５（温湿度調整可能な空調機）を付設し、ベッドルーム５の室内（ベッド７の密閉空間）から排出された空気を清澄化、及び／又は、温湿度調整、或いは薬液（後述する）を添加して、ベッドルーム５にリターンする。尚、図５に示すように、配管１２に、弁を備えた注入口１２００を設け、この注入口１２００より、各種薬液、栄養剤、鎮痛剤、睡眠剤、その他の治療薬液等を注入することで、例えば、フィトンチッド効果（抗菌・防腐・消臭効果等）、マイナスイオン効果（血液の浄化作用「血液を浄化するとともに、血液の弱アルカリ化」・細胞の臓活作用「細胞の新陳代謝を活発にし、筋肉の活性を高め、内蔵を健康に」・抵抗力の増進作用「血液中のガンマグロブリンを増やし、体の抵抗力・免疫力を高める」・自律神経の調整作用「自律神経の機能を向上」等）、又はホルミシス効果（制ガン効果・ＳＯＤ、ＧＰＸ、ＣＡＴとかの抗酸化酵素が活性化し、各種ホルモンの分泌の向上・細胞膜に蓄積した過酸化脂質を減少させる効果等）が発揮できる。
【００４５】
部屋１には、図２で示すように、風呂、洗面台、トイレを備えた洗面室２０と、テーブル、椅子がセットされた休憩室２１を有する。所謂、ホテルＡの一室を示している一例である。また、図示しないが、部屋１、ベッドルーム５には、窓を設ける例もあり得る。図中１６は、ベッドルーム５に設けた外気取り配管であり、必要により、図示しないが、部屋１にも設ける。
【００４６】
図６は太陽光エネルギー及びプリズム（水晶）による照射式の健康器具（カラー療法器具、健康器具等）をベッドルーム５に付設する一例を示したものであり、集光器３０を、ホテルＡの屋上、鉄塔、屋根等に設置し、この集光器３０より光ファイバーケーブル３１を利用し、部屋１、及び／又は、ベッドルーム５に導き、クリスタル、プリズム３２を備えた太陽光エネルギー照射冶具３３（水晶カラー照射装置）を利用し、人Ｈに、０．５時間〜１．５時間程度照射し、後述する、各色の効果、即ち、レインボーカラーによる効果が期待できる。この太陽光エネルギー照射冶具３３は、例えば、太陽光エネルギー照射を図る部位、及び／又は、照射程度、疾病・生育・緊急の程度、又は希望により、変更される。また、この太陽光エネルギー照射冶具３３の形状、及び／又は、大きさは適宜変更される。この太陽光エネルギー照射冶具３３は、連結具３５を介して、簡易に着脱できる構造が望ましい。この太陽光エネルギー照射冶具３３からの照射を利用して、疾病の治療と、光の色を選択して、疾病の治療と機能向上を図る。例えば、健康（疾病の治癒・健康維持・殺菌「除菌」）、育成に良い波長、及び／又は、色を選択し、この波長、及び／又は、色を照射することで、例えば、血流の促進、細胞の活発化、又は新陳代謝の促進、また、免疫機能の維持かつ拡充を図って健康を維持すること、また、ビタミンＤが不足する深夜作業者、事務職、地中作業者、入院患者等に役立ち、もって健康維持に役立つこと、又は植物、家畜等の育成効果を拡充できること等の特徴がある、そして、また、前記この波長、及び／又は、色のパターンを選択、及び／又は、色のパターンを重畳することで、前記効果を拡充できること、又はこれらの実益性の向上に有効であること等の特性を有する。さらに、この布団、衣服、家具、衛生器具又は室内等の乾燥、及び／又は、殺菌効果の達成、及び／又は、拡充を図ることも可能であり有益である。
【００４７】
前記レインボーカラーによる効果（色によるカラー療法）の一例を説明すると、例えば、次のようなことが、経験則で考えられるので、説明する。「イ」でき、赤は、エネルギーとバイタリティの色であり、心と体にエネルギーとバイタリティを供給する色である。この赤色の光の波長は、私たちが活動するための神経「交感神経」を刺激し、かつ脈拍が上がり、体温が上昇し、血液の循環がよくなり、例えば、慢性的な冷え性やカゼの緩和に効果的がある。実際、赤色が多い部屋では、体感温度が２〜３℃上がと考えられる。また、赤色の光は、アドレナリンの分泌を促進する。尚、血液の循環をよくする作用から、低血圧や高血圧にも効果的である。性的欲求も活発になるため、子どもが欲しい方、倦怠期のご夫婦などにもおすすめの色である。さらに、心への影響は、やる気を起こさせる。赤の光は、心身を活動的な状態にし、やる気を起こさせます。無気力、倦怠感とか、臆病の解消にも、この赤色はお勧めで有り、例えば、赤色の衣服等を、身につけることでも効果がある。そして、この赤色は、創造性も刺激するので、クリエイティブな仕事に携わっている方が集中して何かを創りたいときにもおすすめであり、かつ緊急事態にも的確に判断を下せる。「ロ」では、黄色は、知性と希望の光であり、人の左脳を刺激し、知性・理解力・記憶力を高める。論理的な判断が必要な場や、自制心をコントロールしたいときに、知力を高め、不安を消し去ってくれる。そして、あらゆる神経に作用し、消化を助け、胃を強くし、胃腸内にたまったガスを排出する特質をもちます。また、黄色は、もっとも自然光に近い色である。人に喜びや希望を与え、楽天的な考え方をもたらし、社交的で楽しい気分を生み出すと考えられる。この黄色は、体への影響は、神経・皮膚・消化器系を癒し、しかも、神経や皮膚、消化器系に影響を与える。従って、あらゆる神経に作用し、消化を助け、胃を強くし、胃腸内のガスを排出する特質をもつ。そして、さらに、二日酔いのときには黄色いものが心地よく感ずる。これは、黄色の光が消化器系や神経系と関係していると考えられる。殊に、神経の消耗、消化不良、便秘、糖尿病、また皮膚に関するあらゆる疾患にお悩みの方は、生活に黄色の光を取り入れるのが良い。「ハ」では、青色は、鎮静と信頼の色であり、心身の興奮を鎮め、ストレスを緩和する効果がある。そして、心を落ち着かせて、論理的に考える力、時間を気にせずに物事に集中する力を与え、また、空や海という壮大で無限の可能性を感じさせる深みのある色である。させら、信頼と平和を与える色なので、人とのコミュニケーション、特に１対１のコミュニケーションをスムーズにする。青光（青色の光）は精神の興奮を抑えます。興奮のしすぎやヒステリーに近い状態のとき、心に静けさや平和をもたらし、感情の緊張をほどき、やすらかな気分に導いてくれます。殊に、就寝前に青の光をあびると体内の熱を取り去るので、ぐっすりと眠ることができる。寝付けないときは、青のパジャマを身に着け、ベッドサイドに青の小物を置くのが理想である。一方、体への影響は、熱を下げ、喉の炎症を抑えることと、副交感神経に作用するため、体温や脈拍が下がり、呼吸もゆっくりと深くなり、気持ちが落ち着く。これにより、伝染性の病気に耐える体を造り、皮膚の熱を取り去ることにより、皮膚を引き締め、収れん効果をもたらし、しかも、熱を下げ、喉の炎症を抑える効果があるので、カゼや発熱、頭痛のときに効果的な色である。また、「ニ」では、緑色は、自然との結びつきが強く、バランスと調和をもたらし、かつ成長をもたらす光であり、また、リラックス効果と、精神のバランスを整える。人間は自然とのバランスを失うと極度にいらだちを感ずる。例えば、近頃、増えている凶悪犯罪や非行は、ビルやコンクリートの無機質な社会の中で苦しんでいる姿とも云えるが現況である。従って、緑色は人間の神経をなだめ、心身の疲れを癒す大きな力をもっている。また、緑の野菜や果物をたくさん取り、図４で説明した森林浴や、部屋に観葉植物を置くこと、室内の外に、緑を感じ、かつ見ることで、緑の自然のエネルギーを得られる。そして、この緑色は、人間を精神的にも肉体的にも健康な状態にし、生物の成長を促す。また、緑色を身につけていると、自分の周りにも安心感を与え、人間関係がよくなる。尚、体への影響は、心臓、血圧のバランスを整える心臓との結びつきが強く、心臓、血圧のバランスを整える。また、腫瘍にも効果的です。腫瘍とは、細胞が調和を崩した状態において、緑の光が細胞や神経のバランスを整え、調和をもたらす。尚、腫瘍の治療に、緑色植物の体内の細胞にある緑色の色素「クロロフィル」が使われることも、興味深いところです。クロロフィル、体内の毒素を浄化し、肌や内臓のバランスを整えるデトックス効果にも注目されている。また、「ホ」では、ピンク色は、愛と幸せの光であり、かつ無条件の愛と慈悲を象徴する色であり、かつ幸福感や心の温まりを感じさせる色である。即ち、恋愛を成就させたいときや、幸せを感じたいときに有効な色で、人を思いやり愛と友情を育むエネルギーをもたらす。従って、心がひどく混乱しているときや、ネガティブな感情にとらわれているときなどは、ピンクの光が優しく包み込んでくれる。過度のストレスを感じるときや、感情が不安定な時、等にも効果的である。このことから、体への影響は、若返り効果があり、脳波に影響を与え、心身を若返らせる。換言すると、ピンク色をイメージして、深い呼吸を繰り返してみると、例えば、肌は若々しく輝き、しわも薄くなり、かつ疲れた身体を休める効果や、婦人科系の疾患にも有効である。例えば、病院の壁にピンクを取り入れ、病気の治癒を早めていることが知られている。ピンク色は、一般的に、心への影響として、幸せな気分になり、かつ人を思いやる温かさを与えてくれる。そして、心が不安定になったとき有効である。
【００４８】
本発明では、ホテルＡにおける部屋１を活用し、癒し空間と眠り空間Ｂによる、最高の眠りを確保できる。この構成と効果を、世界の全てのホテルＡで活用することで、人Ｈへの最高の贈り物として、また、生命の維持、いじめの解消と、疾病回復・向上に役立ち、さらに、世界平和にも役立つことは明らかである。前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。そして、各国・地方等の慣習を発明の中に組み入れることは、勿論必要である。
【００４９】
また、本発明において、ホテルＡでは、予約券の配布とか、ネット、及び／又は，コンピュータ等のＩＴ機器（図示せず）を利用し、順番確保、又は混雑解消・交通機関整理・時間管理等に役立てること、或いはホテルＡを、全国、及び／又は、世界で展開すること、並びに万人に、かつ均しく癒し空間と眠り空間Ｂを提供できること、等の有益性がある。尚、自宅においては、ベッドルーム３、及び／又は、ベッド７のレンタル業務もあり得る。このレンタル業務は、ホテルＡ、旅館、公共施設、車輌等でも同様に利用できる。殊に、車輌にセットする方式では、寝たきり人Ｈのケヤとストレス解消、又は前述した、各効果が期待できる。さらに、カラー療法では、車輌への搭載が可能であり、前述のベッドルーム３と同じ効果が期待できる。
【符号の説明】
【００５０】
Ａ          ホテル
Ｂ          癒し空間と眠り空間
１          部屋
２          玄関
２００      入り口
２０１      扉
２０２      クローゼット
３          クリーンルーム
３００      簀子
５          ベッドルーム
５ａ        壁
５ｂ        床
５ｃ        天井
５００      入口
５０１      扉
６          素材
６００      焼結筒体
６００ａ    開口
６００ｂ    透孔
６００−１  面
６０１      木材
６０１ａ    表面積
６０１ｂ    透孔
６０１−１  面
７          ベッド
７００      扉
７０１      ＩＴ機器
７ａ        ウォーターベッド
７ｂ        コイルベッド
７ｃ        ペルチェ素子ベッド
７ｄ        バイブレーションベッド
７ｅ        岩盤床ベッド
７ｆ        指圧ベッド
１０        照明
１１        枕
１２        配管
１２００    注入口
１３        清浄装置
１５        温湿度調整装置
１６        配管
２０        洗面室
２１        休憩室
３０        集光器
３１        ケーブル
３２        プリズム
３３        太陽光エネルギー照射冶具
３５        連結具
Ｈ          人
Ｈ１        正常な状態
【図１】
2014058800.tif 000003
【図２】
2014058800.tif 000004
【図３】
2014058800.tif 000005
【図４】
2014058800.tif 000006
【図５】
2014058800.tif 000007
【図６】
2014058800.tif 000008
【図７】
2014058800.tif 000009
【図８】
2014058800.tif 000010